【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレスデバイスにおいて、複数のデバイスによって復号可能な第１のプリアンブルと、前記複数のデバイスのサブセットのみによって復号可能な第２のプリアンブルとを備える第１のパケットを生成することと、前記第１のプリアンブルは第１の信号フィールドを備え、前記第２のプリアンブルは第２の信号フィールドを備え、
非長さ信号情報を運搬するように前記第１の信号フィールドの長さ指示を設定することと、ここにおいて、前記非長さ信号情報は、前記第１のパケットのみの長さ以外のパケットシグナリングまたは後続のシンボルに関する任意の情報を含み、また、ここにおいて、前記第１の信号フィールドの長さ指示は、前記非長さ信号情報を運搬することに加えて、前記第１のパケットの前記長さを搬送する、
前記第１のパケットを送信することと
を備える、方法。
【請求項２】
前記第１の信号フィールドの前記長さ指示を前記設定することは、
１つまたは複数の後続のシンボルのガードインターバル長さ、
第１のトレーニングフィールドの圧縮モード、
後続のフィールドの繰り返し、
１つまたは複数の後続のシンボルのための多数のガードインターバルオプション、
１つまたは複数の後続のシンボルのための多数の変調およびコーディング方式、あるいは
１つまたは複数の後続のシンボルのための信号対干渉プラス雑音比サポート
のうちの１つまたは複数に少なくとも基づく、請求項１に記載の方法。
【請求項３】
前記長さ指示、モジュロ３を１に設定することは、第１のガードインターバル長さを示し、
前記長さ指示、モジュロ３を２に設定することは、第２のガードインターバル長さを示し、
前記第１のガードインターバル長さは、前記第２のガードインターバル長さよりも短い、請求項１に記載の方法。
【請求項４】
前記長さ指示、モジュロ３を２に設定することは、第１のガードインターバル長さを示し、
前記長さ指示、モジュロ３を１に設定することは、第２のガードインターバル長さを示し、
前記第１のガードインターバル長さは、前記第２のガードインターバル長さよりも短い、請求項１に記載の方法。
【請求項５】
前記長さ指示は、前記第２の信号フィールドにおいて開始する１つまたは複数の後続のシンボルのガードインターバル長さを示す、請求項１に記載の方法。
【請求項６】
前記第１のパケットは、前記第１の信号フィールドの繰り返されたバージョンをさらに備え、
前記第２のプリアンブルは、第３の信号フィールドをさらに備え、
前記長さ指示は、前記第３の信号フィールドにおいて開始する前記ガードインターバル長さを示す、請求項１に記載の方法。
【請求項７】
前記長さ指示は、前記第１の信号フィールド後のプリセットされた数のシンボル後から開始する前記ガードインターバル長さを示す、請求項１に記載の方法。
【請求項８】
ワイヤレス通信のための装置であって、
複数のデバイスによって復号可能な第１のプリアンブルと、前記複数のデバイスのサブセットのみによって復号可能な第２のプリアンブルとを備える第１のパケットを生成するための手段と、前記第１のプリアンブルは、第１の信号フィールドを備え、前記第２のプリアンブルは、第２の信号フィールドを備え、
非長さ信号情報を運搬するように前記第１の信号フィールドの長さ指示を設定するための手段と、ここにおいて、前記非長さ信号情報は、前記第１のパケットのみの長さ以外のパケットシグナリングまたは後続のシンボルに関する任意の情報を含み、また、ここにおいて、前記第１の信号フィールドの長さ指示は、前記非長さ信号情報を運搬することに加えて、前記第１のパケットの前記長さを搬送する、
前記第１のパケットを送信するための手段と
を備える、装置。
【請求項９】
前記第１の信号フィールドの前記長さ指示を前記設定することは、
１つまたは複数の後続のシンボルのガードインターバル長さ、
第１のトレーニングフィールドの圧縮モード、
後続のフィールドの繰り返し、
１つまたは複数の後続のシンボルのための多数のガードインターバルオプション、
１つまたは複数の後続のシンボルのための多数の変調およびコーディング方式、あるいは
１つまたは複数の後続のシンボルのための信号対干渉プラス雑音比サポート
のうちの１つまたは複数に少なくとも基づく、請求項８に記載の装置。
【請求項１０】
前記長さ指示、モジュロ３を１に設定することは、第１のガードインターバル長さを示し、
前記長さ指示、モジュロ３を２に設定することは、第２のガードインターバル長さを示し、
前記第１のガードインターバル長さは、前記第２のガードインターバル長さよりも短い、請求項８に記載の装置。
【請求項１１】
前記長さ指示、モジュロ３を２に設定することは、第１のガードインターバル長さを示し、
前記長さ指示、モジュロ３を１に設定することは、第２のガードインターバル長さを示し、
前記第１のガードインターバル長さは、前記第２のガードインターバル長さよりも短い、請求項８に記載の装置。
【請求項１２】
前記長さ指示は、前記第２の信号フィールドにおいて開始する１つまたは複数の後続のシンボルのガードインターバル長さを示す、請求項８に記載の装置。
【請求項１３】
前記第１のパケットは、前記第１の信号フィールドの繰り返されたバージョンをさらに備え、
前記第２のプリアンブルは、第３の信号フィールドをさらに備え、
前記長さ指示は、前記第３の信号フィールドにおいて開始する前記ガードインターバル長さを示す、請求項８に記載の装置。
【請求項１４】
前記長さ指示は、前記第１の信号フィールド後のプリセットされた数のシンボル後から開始する前記ガードインターバル長さを示す、請求項８に記載の装置。
【請求項１５】
コンピューティングデバイスのプロセッサ上で実行されるとき、請求項１ないし７によるいずれかの方法を実行するように適応されたコンピュータプログラム。
【手続補正２】
【補正対象書類名】明細書
【補正対象項目名】０１４４
【補正方法】変更
【補正の内容】
【０１４４】
[00152]  上記は本開示の態様を対象とするが、本開示の他の態様およびさらなる態様は、それの基本的範囲から逸脱することなく考案され得、それの範囲は以下の特許請求の範囲によって決定される。
以下に、本出願時の特許請求の範囲に記載された発明を付記する。
［付記１］ワイヤレス通信の方法であって、
ワイヤレスデバイスにおいて、複数のデバイスによって復号可能な第１のプリアンブルと、前記複数のデバイスのサブセットのみによって復号可能な第２のプリアンブルとを備える第１のパケットを生成することと、前記第１のプリアンブルは第１の信号フィールドを備え、前記第２のプリアンブルは第２の信号フィールドを備え、
非長さ信号情報を運搬するように前記第１の信号フィールドの長さ指示を設定することと、
前記第１のパケットを送信することと
を備える、方法。
［付記２］前記第１の信号フィールドの前記長さ指示を前記設定することは、
１つまたは複数の後続のシンボルのガードインターバル長さ、
第１のトレーニングフィールドの圧縮モード、
後続のフィールドの繰り返し、
１つまたは複数の後続のシンボルのための多数のガードインターバルオプション、
１つまたは複数の後続のシンボルのための多数の変調およびコーディング方式、あるいは
１つまたは複数の後続のシンボルのための信号対干渉プラス雑音比サポート
のうちの１つまたは複数に少なくとも基づく、付記１に記載の方法。
［付記３］前記長さ指示、モジュロ３を１に設定することは、第１のガードインターバル長さを示し、
前記長さ指示、モジュロ３を２に設定することは、第２のガードインターバル長さを示し、
前記第１のガードインターバル長さは、前記第２のガードインターバル長さよりも短い、付記１に記載の方法。
［付記４］前記長さ指示、モジュロ３を２に設定することは、第１のガードインターバル長さを示し、
前記長さ指示、モジュロ３を１に設定することは、第２のガードインターバル長さを示し、
前記第１のガードインターバル長さは、前記第２のガードインターバル長さよりも短い、付記１に記載の方法。
［付記５］前記長さ指示は、前記第２の信号フィールドにおいて開始する１つまたは複数の後続のシンボルのガードインターバル長さを示す、付記１に記載の方法。
［付記６］前記第１のパケットは、前記第１の信号フィールドの繰り返されたバージョンをさらに備え、
前記第２のプリアンブルは、第３の信号フィールドをさらに備え、
前記長さ指示は、前記第３の信号フィールドにおいて開始する前記ガードインターバル長さを示す、付記１に記載の方法。
［付記７］前記長さ指示は、前記第１の信号フィールド後のプリセットされた数のシンボル後から開始する前記ガードインターバル長さを示す、付記１に記載の方法。
［付記８］前記第２のプリアンブルは、前記第１のトレーニングフィールドと第２のトレーニングフィールドとをさらに備え、前記第１のトレーニングフィールドは、前記第２のトレーニングフィールドよりも長い、付記１に記載の方法。
［付記９］前記第１の信号フィールドは、正または負の極性を有する第３の信号フィールドの繰り返しであり、前記長さ指示を設定することは、前記第１の信号フィールドの前記極性を設定することを備える、付記１に記載の方法。
［付記１０］前記長さ指示、モジュロ３を０に設定することは、第３のガードインターバル長さを示す、付記３に記載の方法。
［付記１１］ワイヤレス通信を実行するように構成された装置であって、
複数のデバイスによって復号可能な第１のプリアンブルと、前記複数のデバイスのサブセットのみによって復号可能な第２のプリアンブルとを備える第１のパケットを生成することと、前記第１のプリアンブルは、第１の信号フィールドを備え、前記第２のプリアンブルは、第２の信号フィールドを備え、
非長さ信号情報を運搬するように前記第１の信号フィールドの長さ指示を設定することと
を行うように構成されたプロセッサと、
前記第１のパケットを送信するように構成された送信機と
を備える、装置。
［付記１２］前記プロセッサは、
１つまたは複数の後続のシンボルのガードインターバル長さ、
第１のトレーニングフィールドの圧縮モード、
後続のフィールドの繰り返し、
１つまたは複数の後続のシンボルのための多数のガードインターバルオプション、
１つまたは複数の後続のシンボルのための多数の変調およびコーディング方式、あるいは
１つまたは複数の後続のシンボルのための信号対干渉プラス雑音比サポート
のうちの１つまたは複数に少なくとも基づいて、前記第１の信号フィールドの前記長さ指示を設定するように構成された、付記１１に記載の装置。
［付記１３］前記長さ指示、モジュロ３を１に設定することは、第１のガードインターバル長さを示し、
前記長さ指示、モジュロ３を２に設定することは、第２のガードインターバル長さを示し、
前記第１のガードインターバル長さは、前記第２のガードインターバル長さよりも短い、付記１１に記載の装置。
［付記１４］前記長さ指示、モジュロ３を２に設定することは、第１のガードインターバル長さを示し、
前記長さ指示、モジュロ３を１に設定することは、第２のガードインターバル長さを示し、
前記第１のガードインターバル長さは、前記第２のガードインターバル長さよりも短い、付記１１に記載の装置。
［付記１５］前記長さ指示は、前記第２の信号フィールドにおいて開始する１つまたは複数の後続のシンボルのガードインターバル長さを示す、付記１１に記載の装置。
［付記１６］前記第１のパケットは、前記第１の信号フィールドの繰り返されたバージョンをさらに備え、
前記第２のプリアンブルは、第３の信号フィールドをさらに備え、
前記長さ指示は、前記第３の信号フィールドにおいて開始する前記ガードインターバル長さを示す、
付記１１に記載の装置。
［付記１７］前記長さ指示は、前記第１の信号フィールド後のプリセットされた数のシンボル後から開始する前記ガードインターバル長さを示す、付記１１に記載の装置。
［付記１８］前記第２のプリアンブルは、前記第１のトレーニングフィールドと第２のトレーニングフィールドとをさらに備え、前記第１のトレーニングフィールドは、前記第２のトレーニングフィールドよりも長い、付記１１に記載の装置。
［付記１９］前記第１の信号フィールドは、正または負の極性を有する第３の信号フィールドの繰り返しであり、前記長さ指示を設定することは、前記第１の信号フィールドの前記極性を設定することを備える、付記１１に記載の装置。
［付記２０］前記長さ指示、モジュロ３を０に設定することは、第３のガードインターバル長さを示す、付記１３に記載の装置。
［付記２１］ワイヤレス通信のための装置であって、
複数のデバイスによって復号可能な第１のプリアンブルと、前記複数のデバイスのサブセットのみによって復号可能な第２のプリアンブルとを備える第１のパケットを生成するための手段と、前記第１のプリアンブルは、第１の信号フィールドを備え、前記第２のプリアンブルは、第２の信号フィールドを備え、
非長さ信号情報を運搬するように前記第１の信号フィールドの長さ指示を設定するための手段と、
前記第１のパケットを送信するための手段と
を備える、装置。
［付記２２］前記第１の信号フィールドの前記長さ指示を前記設定することは、
１つまたは複数の後続のシンボルのガードインターバル長さ、
第１のトレーニングフィールドの圧縮モード、
後続のフィールドの繰り返し、
１つまたは複数の後続のシンボルのための多数のガードインターバルオプション、
１つまたは複数の後続のシンボルのための多数の変調およびコーディング方式、あるいは
１つまたは複数の後続のシンボルのための信号対干渉プラス雑音比サポート
のうちの１つまたは複数に少なくとも基づく、付記２１に記載の装置。
［付記２３］前記長さ指示、モジュロ３を１に設定することは、第１のガードインターバル長さを示し、
前記長さ指示、モジュロ３を２に設定することは、第２のガードインターバル長さを示し、
前記第１のガードインターバル長さは、前記第２のガードインターバル長さよりも短い、付記２１に記載の装置。
［付記２４］前記長さ指示、モジュロ３を２に設定することは、第１のガードインターバル長さを示し、
前記長さ指示、モジュロ３を１に設定することは、第２のガードインターバル長さを示し、
前記第１のガードインターバル長さは、前記第２のガードインターバル長さよりも短い、付記２１に記載の装置。
［付記２５］前記長さ指示は、前記第２の信号フィールドにおいて開始する１つまたは複数の後続のシンボルのガードインターバル長さを示す、付記２１に記載の装置。
［付記２６］前記第１のパケットは、前記第１の信号フィールドの繰り返されたバージョンをさらに備え、
前記第２のプリアンブルは、第３の信号フィールドをさらに備え、
前記長さ指示は、前記第３の信号フィールドにおいて開始する前記ガードインターバル長さを示す、付記２１に記載の装置。
［付記２７］前記長さ指示は、前記第１の信号フィールド後のプリセットされた数のシンボル後から開始する前記ガードインターバル長さを示す、付記２１に記載の装置。
［付記２８］前記第２のプリアンブルは、前記第１のトレーニングフィールドと第２のトレーニングフィールドとをさらに備え、前記第１のトレーニングフィールドは、前記第２のトレーニングフィールドよりも長い、付記２１に記載の装置。
［付記２９］前記第１の信号フィールドは、正または負の極性を有する第３の信号フィールドの繰り返しであり、前記長さ指示を設定することは、前記第１の信号フィールドの前記極性を設定することを備える、付記２１に記載の装置。
［付記３０］実行されたとき、装置に、
複数のデバイスによって復号可能な第１のプリアンブルと、前記複数のデバイスのサブセットのみによって復号可能な第２のプリアンブルとを備える第１のパケットを生成することと、前記第１のプリアンブルは、第１の信号フィールドを備え、前記第２のプリアンブルは、第２の信号フィールドを備え、
非長さ信号情報、
１つまたは複数の後続のシンボルのガードインターバル長さ、
第１のトレーニングフィールドの圧縮モード、
後続のフィールドの繰り返し、
１つまたは複数の後続のシンボルのための多数のガードインターバルオプション、
１つまたは複数の後続のシンボルのための多数の変調およびコーディング方式、あるいは
１つまたは複数の後続のシンボルのための信号対干渉プラス雑音比サポート
を運搬するように前記第１の信号フィールドの長さ指示を設定することと、
前記第１のパケットを送信することと
を行わせるコードを備える非一時的コンピュータ可読媒体。